(57)【要約】【課題】従来に比して、十分な健康増進効果が得られる入浴用の健康増進具を提供すること。【解決手段】入浴時において、湯に浮かせて用いる健康増進具であって、浴槽湯面に浮くフロート部材１０と、該フロート部材１０に取り外し可能として垂設される収納袋１５と、該収納袋１５に収納される石ころ状又は球状に形成のトルマリン鉱石１４とを含み、前記収納袋１５は、表裏２枚のシート基材１６、１７の間にトルマリンの微粉と窯土類の微砂及び吸放水ポリマーの微粉の混合物層１９が略全面に亘り規則的或いは不規則的配列で接着剤を介して接合されて形成のトルマリン加工シート１６から形成され、トルマリン鉱石１４と収納袋１５との相乗作用により血行促進、細胞活性化等の十分な健康増進効果が得られる。【選択図】        図１
2004223067.tif 000002
【特許請求の範囲】
【請求項１】
入浴時において、浴槽の湯に浮かせて用いる血行促進、細胞機能活性化等の健康増進具であって、
浴槽湯面に浮くフロート部材（１０）と、
該フロート部材（１０）に取り外し可能として垂設される収納袋（１５）と、
該収納袋（１５）に収納される石ころ状又は球状に形成のトルマリン鉱石（１４）と
を含み、
前記収納袋（１５）は、表裏２枚のシート基材（１６）、（１７）の間にトルマリンの微粉と窯土類の微砂及び吸放水ポリマーの微粉の混合物層（１９）が略全面に亘り規則的或いは不規則的配列で接着剤を介して接合されて形成のトルマリン加工シート（１６）から形成されていることを特徴とする入浴用の健康増進具。
【発明の詳細な説明】
【０００１】
【発明の属する技術分野】
本発明は、入浴用の健康増進具に関し、更に詳しくは、トルマリン「（電気石）以下、単にトルマリンという。」の特性を応用した健康増進具に関するものである。
【０００２】
【従来の技術】
トルマリン（Ｔｏｕｒｍａｌｉｎｅ）は、鉱石の１種で、電子を流し続けるところから日本名では「電気石」と呼ばれ、このトルマリンは圧力や温度変化等を受けると微電流が流れ、マイナスイオンを発生する特性を有し、マイナスイオンの空気は、肺から１６％、体表から８４％の割合で体内に吸収され、血液を弱アルカリにさせ、体内のイオン交換を助け、血液を浄化しアレルギーを緩和し、動脈硬化、肝臓障害等を抑制する等の効果があることが知られている。また、トルマリンは加圧や加熱により外部から入ってきたエネルギーを遠赤外線に変換して放射する特性を有し、細胞機能増進、過酸化脂質抑制、ガン、白血病細胞の活力削減等の治療効果があることが知られている。
【０００３】
そこで、このトルマリン鉱石を網袋に入れて浴槽に沈め、入浴において血行促進等の用に供しているが、それなりのトルマリン効果は得られるものの、それ以上の十分な健康増進効果を得ることはできないものであった。
【０００４】
【発明が解決しようとする課題】
本発明は、このような事情に鑑みなされたもので、その目的とするところは、トルマリン加工シートから構成の収納袋と、これに収納の石ころ状のトルマリン鉱石との相乗効果によって、血行が良くなって細胞機能の活性化と共に温浴・美容効果が高まるとともに、ヒドロキシルイオンの生成によるマイナスイオン効果が促進されて、十分な健康増進効果が得られる入浴用の健康増進具を提供することにある。
【０００５】
【課題を解決するための手段】
この目的のため、本発明の請求項１に記載の入浴用の健康増進具は、入浴時において、浴槽の湯に浮かせて用いる血行促進、細胞機能活性化等の健康増進具であって、浴槽湯面に浮くフロート部材１０と、該フロート部材１０に取り外し可能として垂設される収納袋１５と、該収納袋１５に収納される石ころ状又は球状に形成のトルマリン鉱石１４とを含み、前記収納袋１５は、表裏２枚のシート基材１６、１７の間にトルマリンの微粉と窯土類の微砂及び吸放水ポリマーの微粉の混合物層１９が略全面に亘り規則的或いは不規則的配列で接着剤を介して接合されて形成のトルマリン加工シート１６から形成されていることを特徴とするものである。
【０００６】
【発明の実施の形態】
本発明の実施の形態について図面を参照し、その作用と共に説明する。
【０００７】
図１は本発明に係る入浴用の健康増進具の一例での一部を断面し、かつ省略した正面図、図２はフロート部材の平面図、図３は図２の３−３線に沿った断面図、図４はトルマリン加工シートの一例での一部省略の平面図、図５は図４の部分拡大断面図である。
【０００８】
これら図において、本入浴用の健康増進具はフロート部材とトルマリン鉱石の収納袋を含んでいる。
【０００９】
フロート部材１０は、やや大径の円盤状の主体部１１と、該主体部１１の下面に一体に突設されたやや小径の肉厚円盤状の袋垂設部１２を有し、該袋垂設部１２の外周には凹溝１３が周設されている。
【００１０】
そして、フロート部材１０は好ましくは硬質樹脂材による一体成形品として得られる。
【００１１】
石ころ状又は球状に形成されたトルマリン鉱石１４が収納される収納袋１５は、トルマリン加工シートの三辺を縫製し、又は接着剤を介して接合することにより、開口部を有する袋物とされている。
【００１２】
収納袋１５の素材であるトルマリン加工シート１６は、図４及び図５に示されているように、通気性と強度性に優れた木綿、不織布等の表裏２枚のシート基材１７、１８の間に、トルマリンの微粉と窯土類の微砂及び吸放水ポリマーの微粉の混合物層１９が略全面に亘り規則的或いは不規則的配列で接着剤を介して接合されて形成されている。
【００１３】
トルマリンとしては、六方晶系の極性構造体であるショールトルマリンが好ましいが、リチアトルマリン或いはトラバイトトルマリンでもよい。
【００１４】
トルマリンの粉末の粒子径は３ミクロン程度が性能上最も好ましいが、それ以上でも以下でも効能は発揮される。
【００１５】
窯土類の微粉は、Ｏ、Ｎａ、Ｍｇ、Ａｌ、Ｓｉ、Ｋ、Ｃａ、Ｔｉ、Ｖ、Ｍｎ、Ｆｅ、Ｎｉ、Ｃｕ、Ｚｎ、Ｓｒ等の元素を含む土であり、これらを焼結後粉砕して微砂としたが、他の方法で微砂化してもよい。
【００１６】
窯土の微砂は、トルマリンに対して５対１の割合で混ぜた場合に、トルマリンのイオン効果を次第に引き出せるが、それ以外の混合比でもよい。
【００１７】
吸放水ポリマーは、吸放湿の平衡点が相対湿度６０％程度のものが好ましく、このような吸放水ポリマーを粉末状にして、トルマリン微粉と窯土の微砂の混合物に混合させるか、吸放水ポリマーに油や安定剤やアルコールを混入してなる溶液をシート基材にコーティングする等の手段によって、トルマリンのイオン効果を促進する。
【００１８】
なお、吸放水ポリマーの使用量については、吸放水ポリマーの種類によって異なるので、特に限定しない。
【００１９】
図４において、混合物１９は市松模様に接合され、かつ混合物層１９同志は連結されているが、これに限定されず、混合物層１９は、島状に間隔をあけて配列してもよい。
【００２０】
このようなトルマリン加工シート１６により形成された収納袋１５には、角を丸くした石ころ状又は球状のトルマリン鉱石１４が入れられる。
【００２１】
そして、トルマリン鉱石１４の入った収納袋１５の開口部にはフロート部材１０における袋垂設部１２が内挿されるとともに、袋開口部と袋垂設部１２の接合部外側より、切欠されたバネ性を有するリング状止め具２０が凹溝１３に嵌め込まれる如くに巻着されて、収納袋１５は凹溝１３と止め具２０との挟着により垂設される。
【００２２】
このような状態において、本健康増進具を浴槽に入れると、トルマリン鉱石１４は収納袋１５と共に湯につかりながらフロート部材１０の浮力により沈むことなく浮き、加温等の外的作用により、トルマリン鉱石１４と収納袋１５であるトルマリン加工シート１６との相乗効果である血行の促進と細胞活性化等の健康増進効果が得られる。
【００２３】
必要に応じ収納袋１５をフロート部材１０から取り外す場合には、止め具２０を外せば、簡単に収納袋１５は取り外され、トルマリン鉱石１４を新たな収納袋に入れて再度の使用に供することができる。
【００２４】
本発明は上記実施例に限定されず、種々の変形が可能である。例えば、フロート部材１０と収納袋１５との取り外しは、フロート部材に取り付けのクリップ或いはフックによってもよく、又、フロート部材は円形の他、任意の意匠が施された形状としてもよい。
【００２５】
又、収納袋１５には、トルマリン鉱石１４と共に備長炭を収納してもよい。又、フロート部材１０には、２つ以上の小出しの収納袋を垂設するようにしてもよい。
【００２６】
【発明の効果】
しかして、本発明によれば、トルマリン鉱石とトルマリン加工シートとの相乗作用により、従来に比し、十分な健康増進効果が得られる。
【００２７】
即ち、マイナスイオンの発生効果、特にトルマリン加工シートにおける混合物層の作用によるヒドロキシルイオンの生成により、マイナスイオン発生効果が促進され、マイナスイオンの微弱な電流作用と遠赤外線の振動作用により、人体の皮下まで浸透させて血行を良くし、又細胞機能を活性化して新陳代謝を助長する等十分な健康増進効果が得られる。
【図面の簡単な説明】
【図１】本発明に係る入浴用の健康増進具の一例での一部を断面し、かつ省略した正面図である。
【図２】フロート部材の平面図である。
【図３】図２の３−３線に沿った断面図である。
【図４】トルマリン加工シートの一例での一部省略の平面図である。
【図５】図４の部分拡大断面図である。
【符号の説明】
１０    フロート部材
１４    トルマリン鉱石
１５    収納袋
１６    トルマリン加工シート
１７、１８    シート基材
１９    混合物層
【図１】
2004223067.tif 000003
【図２】
2004223067.tif 000004
【図３】
2004223067.tif 000005
【図４】
2004223067.tif 000006
【図５】
2004223067.tif 000007